(57)【要約】      （修正有）【課題】クリアファイルまたは書籍の所定の事項を説明する題目若しくはインデックスを示す目印として使用する略円形の紙片の見出しであって、背ラベルとして使用することができ、かつ、クリアファイルまたは書籍の所望の位置を指定できる見出し、背見出し用ラベル、または、見出し用シールを提供する。【解決手段】略円形の直径に平行する２本の折り曲げ線部Ｌｂと、２本の折り曲げ線部Ｌｂに挟まれた領域である中央見出し部１１と、中央見出し部１１の左側の領域である左側表紙部１２と、中央見出し部１１の右側の領域である右側表紙部１３と、紙片の少なくとも一部が切り離し可能な切り離しふせん部２０とを有し、左側表紙部１２の裏面および／または右側表紙部１３の裏面は、少なくとも一部に再剥離可能に粘着する第１の粘着部を備え、切り離しふせん部２０の裏面は、再剥離可能に粘着する第２の粘着部を備える。【選択図】図１
0003205379.tif 000002
【実用新案登録請求の範囲】
【請求項１】
クリアファイルまたは書籍の所定の事項を説明する題目若しくはインデックスを示す目印として使用する略円形の紙片の見出しであって、
前記略円形の直径に平行する２本の折り曲げ線部と、
２本の前記折り曲げ線部に挟まれた領域である中央見出し部と、
前記中央見出し部の左側の領域である左側表紙部と、
前記中央見出し部の右側の領域である右側表紙部と、
前記紙片の少なくとも一部が切り離し可能な切り離しふせん部と
を有し、
前記左側表紙部の裏面および／または前記右側表紙部の裏面は、少なくとも一部に再剥離可能に粘着する第１の粘着部を備え、
前記切り離しふせん部の裏面は、再剥離可能に粘着する第２の粘着部を備える、
ことを特徴とする見出し。
【請求項２】
請求項１に記載の見出しを用いた背見出し用ラベルであって、
２本の前記折り曲げ線部を略９０度に折り曲げて略コの字の断面形状を形成し、
前記第１の粘着部を前記クリアファイルまたは前記書籍に貼り付けて、前記中央見出し部を前記クリアファイルまたは前記書籍の背見出しに位置し、
前記クリアファイルまたは前記書籍の所望の位置に切り離した前記切り離しふせん部を位置する、
ことを特徴とする背見出し用ラベル。
【請求項３】
請求項１に記載の見出しを用いた見出し用シールであって、
前記切り離しふせん部は、前記略円形の円周の４カ所に配置した凸部である、
ことを特徴とする見出し用シール。
【考案の詳細な説明】
【技術分野】
【０００１】
本考案は、クリアファイルまたは書籍の所定の事項を説明する題目若しくはインデックスを示す目印として使用する見出しに関する。本考案は、背見出し用ラベル若しくは見出し用シール、又は、再剥離式付箋若しくは紙片に関するものであってもよい。
【背景技術】
【０００２】
書類等に付される付箋は、シートの裏面の一端部に接着部を設けて構成され、複数のシートを積層した状態で提供されている。特許文献１には、透明なシートの裏面に接着部を設け、貼付対象物に記載された情報に対する注意を喚起するための丸枠を接着部によって区画付けられた接着領域と非接着領域の境界に設け、注意を促すためのメッセージを表示する付箋に関する技術を開示している。
【先行技術文献】
【特許文献】
【０００３】
【特許文献１】特開２０１０−１７３１１７号公報
【考案の概要】
【考案が解決しようとする課題】
【０００４】
しかしながら、特許文献１に開示されている技術では、クリアファイルまたは書籍の所定の事項を説明する題目若しくはインデックスを示す目印として使用する見出し（例えば背ラベル）として使用することができない場合がある。また、特許文献１に開示されている技術では、付箋で指定できる範囲が限定され、広範囲を指定することができない場合がある。さらに、クリアファイルまたは書籍の所定の事項を説明する題目若しくはインデックスを示す目印として使用する見出し、背見出し用ラベル、または、見出し用シールに関する技術が求められている。
【０００５】
本考案は、クリアファイルまたは書籍の所定の事項を説明する題目若しくはインデックスを示す目印として使用する略円形の紙片の見出しであって、背ラベルとして使用することができ、かつ、クリアファイルまたは書籍の所望の位置を指定できる見出し、背見出し用ラベル、または、見出し用シールを提供することを目的とする。
【課題を解決するための手段】
【０００６】
上記課題を解決するために、本考案の一つの実施形態は、クリアファイルまたは書籍の所定の事項を説明する題目若しくはインデックスを示す目印として使用する略円形の紙片の見出しであって、前記略円形の直径に平行する２本の折り曲げ線部と、２本の前記折り曲げ線部に挟まれた領域である中央見出し部と、前記中央見出し部の左側の領域である左側表紙部と、前記中央見出し部の右側の領域である右側表紙部と、前記紙片の少なくとも一部が切り離し可能な切り離しふせん部とを有し、前記左側表紙部の裏面および／または前記右側表紙部の裏面は、少なくとも一部に再剥離可能に粘着する第１の粘着部を備え、前記切り離しふせん部の裏面は、再剥離可能に粘着する第２の粘着部を備える、ことを特徴とする見出しを提供する。
【０００７】
本考案の他の実施形態は、上記の見出しを用いた背見出し用ラベルであって、２本の前記折り曲げ線部を略９０度に折り曲げて略コの字の断面形状を形成し、前記第１の粘着部を前記クリアファイルまたは前記書籍に貼り付けて、前記中央見出し部を前記クリアファイルまたは前記書籍の背見出しに位置し、前記クリアファイルまたは前記書籍の所望の位置に切り離した前記切り離しふせん部を位置する、ことを特徴とする背見出し用ラベルであってもよい。
【０００８】
本考案の他の実施形態は、上記の見出しを用いた見出し用シールであって、前記切り離しふせん部は、前記略円形の円周の４カ所に配置した凸部である、ことを特徴とする見出し用シールであってもよい。
【考案の効果】
【０００９】
本考案に係る見出し、背見出し用ラベル、または、見出し用シールによれば、クリアファイルまたは書籍の所定の事項を説明する題目若しくはインデックスを示す目印として使用する略円形の紙片であって、背ラベルとして使用することができ、かつ、クリアファイルまたは書籍の所望の位置を指定できる。
【図面の簡単な説明】
【００１０】
【図１】本考案の実施形態に係る見出しの一例を示す平面図である。
【図２】本考案の実施形態に係る見出しの一例を示す底面図である。
【図３】本考案の実施形態に係る見出しの他の例を示す平面図である。
【図４】本考案の実施形態に係る見出しの使用例の一例を説明する説明図である。
【図５】本考案の実施形態に係る見出しの使用例の他の例を説明する説明図である。
【図６】本考案の実施形態に係る見出しの使用例の他の例を説明する説明図である。
【図７】本考案の実施例に係る見出しの一例を示す平面図である。
【図８】本考案の実施例に係る見出しの使用例の一例を示す斜視図である。
【考案を実施するための形態】
【００１１】
実施形態および実施例に係る見出しの例を用いて、本考案を説明する。なお、本考案は、以後に説明する見出し以外でも、クリアファイル、書籍などの所定の事項を説明する題目若しくはインデックスを示す目印として使用する紙片、付箋、貼り紙、紙又はその他媒体などであれば、いずれのものにも用いることができる。なお、見出し（紙片など）の素材、色、形状は、特に限定されない。見出し（紙片など）の素材は、紙、シリコン、塩化ビニル、合成樹脂、エンジニアリングプラスチック又はその他表面に文字や図形を記載可能な媒体であってもよい。見出し（紙片など）の色は、透明、半透明、色付きのものであってもよい。見出し（紙片）の色は、例えば使用者（利用者）の趣味趣向に合わせた柄のものや広告、日時を記載したものであってもよい。
【００１２】
以後に、本考案を説明する。
【００１３】
図１乃至図６を用いて、本考案の実施形態に係る見出しの構成を説明する。ここで、図１は、本考案の実施形態に係る見出し１００の一例を示す平面図である。図２は、本考案の実施形態に係る見出し１００の一例を示す底面図（裏面）である。図３は、本考案の実施形態に係る見出し１０１の他の例を示す平面図である。図４は、本考案の実施形態に係る見出し１０２の使用例の一例を説明する説明図である。図５（ａ）は、本考案の実施形態に係る見出し１００Ａの使用例の他の例を説明する斜視説明図である。図５（ｂ）は、本考案の実施形態に係る見出し１００Ａの使用例の他の例を説明する平面説明図である。図６（ａ）は、本考案の実施形態に係る見出し１００Ｂ、１００Ｃの使用例の他の例を説明する斜視説明図である。図６（ｂ）および図６（ｃ）は、本考案の実施形態に係る見出し１００Ｂ、１００Ｃの使用例の他の例を説明する平面説明図である。なお、図１等に示す見出しの構成等は一例であり、本考案は図１等に示す見出し等に限定されるものではない。
【００１４】
本考案に係る見出しは、クリアファイルまたは書籍の所定の事項を説明する題目若しくはインデックスを示す目印として使用する紙片（小片媒体）である。また、本考案に係る見出しは、その裏面の一部または全部に接着部（再剥離可能な粘着部）を有する。さらに、本考案に係る見出しは、紙片の少なくとも一部が切り離し可能であり、切り離した紙片を付箋（ふせん、ラベル、シール、目印など）として使用することができる。すなわち、本考案に係る見出しは、クリアファイルまたは書籍などの背ラベル（背見出し用ラベル）として使用することができ、かつ、クリアファイルまたは書籍などの所望の位置を指定するシール（見出し用シール）として使用することができる。なお、本考案に係る見出しは、付箋、再剥離式付箋、シール、紙片、貼り紙、紙またはその他表面に記載可能な媒体であってもよい。本考案に係る見出しは、例えば横５０ｍｍ〜１００ｍｍ、縦５０ｍｍ〜１００ｍｍのものであってもよい。本考案に係る見出しは、例えば円形、楕円形、長方形、正方形、菱形、その他任意の形状であってもよい。本考案に係る見出しの形状は、設計、実験、計算などで予め定められる形状とすることができる。さらに、本考案に係る見出しは、その表面に所望のデザインを形成されていてもよく、所定の模様や文字情報、広告、メモ書きスペースなどが印刷されていてもよい。以下で具体的な構成例を説明する。
【００１５】
図１に示すように、本考案に係る見出し１００は、略円形の外形の紙片であり、略円形の直径に平行する２本の折り曲げ線部Ｌｂと、２本の折り曲げ線部Ｌｂに挟まれた領域である中央見出し部１１と、中央見出し部１１の左側の領域である左側表紙部１２と、中央見出し部１１の右側の領域である右側表紙部１３と、紙片の少なくとも一部が切り離し可能な切り離しふせん部２０とを有する。本考案に係る見出し１００は、本実施形態では、メモ記載部（メモ書きスペース）１３ａを更に有する。
【００１６】
図２に示すように、本考案に係る見出し１００は、左側表紙部の裏面１２ｒおよび／または右側表紙部の裏面１３ｒに再剥離可能に粘着する第１の粘着部（図中の点線領域）を備える。また、本考案に係る見出し１００は、切り離しふせん部の裏面２１ｒ，２２ｒに再剥離可能に粘着する第２の粘着部（図中の点線領域）を備える。なお、第１の粘着部は、左側表紙部の裏面１２ｒおよび／または右側表紙部の裏面１３ｒの少なくとも一部または全面であってもよい。
【００１７】
図３に示すように、本考案に係る見出し１０１の切り離しふせん部２０は、略円形の円周の４カ所に配置してもよいし、２か所以下または５カ所以上に配置してもよい。
【００１８】
中央見出し部１１は、２本の折り曲げ線部Ｌｂに挟まれた領域である。図４に示すように、見出し１０２は、背見出し用ラベルとして利用する場合に、２本の折り曲げ線部Ｌｂで略９０度に折り曲げられ、略コの字の断面形状を形成する。これにより、中央見出し部１１は、見出しの第１の粘着部をクリアファイルまたは書籍に貼り付けて、クリアファイルまたは書籍の背見出しに位置され、背ラベルとして利用することができる。
【００１９】
切り離しふせん部２０は、見出しの略円形の円周に配置した凸部である。切り離しふせん部２０は、クリアファイルまたは書籍の所望の位置を指定するための付箋（後述する図８の２１Ｄ，２２Ｄ）として利用することができる。切り離しふせん部２０は、指定できる範囲を限定されず、広範囲などの任意の範囲を指定することができる。なお、本考案に係る切り離しふせん部２０の形状・色・材質は、特に限定されない。また、本考案に係る切り離しふせん部２０の形状は、角が丸まったもの又は尖ったものであってもよいし、例えば動物の耳の柄（後述する図７）であってもよい。
【００２０】
図５（ａ）および図５（ｂ）に示すように、見出し１００Ａは、背見出し用ラベルとして利用する場合に、２本の折り曲げ線部で略９０度に折り曲げられ、クリアファイルＣＦ（または書籍）の所望の位置に貼り付けられる。このとき、中央見出し部１１は、背ラベルとして機能する。また、図６（ａ）、（ｂ）および（ｃ）に示すように、見出し１００Ｂ、１００Ｃは、背見出し用ラベルとして利用する場合に、クリアファイルＣＦ（または書籍）の所望の位置に、所望の方法で貼り付けることができる。
【００２１】
以上のとおり、本考案に係る見出し、背見出し用ラベル又は見出し用シールによれば、クリアファイルまたは書籍の所定の事項を説明する題目若しくはインデックスを示す目印として使用する略円形の紙片であって、背ラベルとして使用することができ、かつ、クリアファイルまたは書籍の所望の位置を指定することができる。なお、本考案に係る見出し、背見出し用ラベル又は見出し用シールは、所定の広告を表示するための広告表示スペースを設けることができる。また、本考案に係る見出し、背見出し用ラベル又は見出し用シールは、例えば社名、住所、連絡先、商品情報を表示することができる。これにより、本考案に係る見出し、背見出し用ラベル又は見出し用シールは、広告宣伝機能を持たせることができるので、見出し、背見出し用ラベル又は見出し用シールを使用するたびに広告を表示し、目に付き易くなり、広告宣伝効果を高めることができる。
【実施例】
【００２２】
図７及び図８を用いて、本考案の実施例に係る見出しを説明する。ここで、図７（ａ）は、本考案の実施例に係る見出し１００Ｄの一例を示す平面図である。図７（ｂ）は、本考案の実施例に係る見出し１００Ｄの切り離しふせん部２０を切り離した例を示す平面図である。図８は、本考案の実施例に係る見出し１００Ｄの使用例の一例を示す斜視図である。なお、図７及び図８に示す見出しは一例であり、本考案は図７及び図８に示す見出しに限定されるものではない。
【００２３】
図７（ａ）に示すように、本実施例に係る切り離しふせん部２０は、使用者の趣向に合わせた柄と形状で、猫の耳の柄である。図７（ｂ）及び図８に示すように、見出し１００Ｄは、使用時に使用者によって、切り離しふせん部２１Ｄ，２２Ｄ（２０）を切り離され、クリアファイルＣＦ（または書籍）の所望の位置に貼り付けられる。これにより、見出しの使用者は、クリアファイルＣＦ（または書籍）の所望の位置を指定することができる。また、切り離しふせん部２１Ｄ，２２Ｄを切り離された見出し１００Ｄは、図８に示すように、背見出し用ラベルや見出し用シールとして使用することができる。さらに、切り離された切り離しふせん部２１Ｄ，２２Ｄは、図８に示すように、クリアファイルＣＦ（または書籍）の所望の位置を広範囲に指定することができる。
【００２４】
以上のとおり、本考案の実施例に係る見出し１００Ｄによれば、実施形態に係る見出し（図１等）と同様の効果を得ることができる。また、本考案の実施例に係る見出し１００Ｄによれば、使用者の趣向に合わせた柄と形状で、例えば動物の顔を模した形状にすることができ、使用者の興味や注意を引き付けることができる。
【００２５】
以上のとおり、本考案に係る実施形態及び実施例について説明したが、本考案は上記の実施形態及び実施例に限定されるものではない。すなわち、本考案は、実用新案登録請求の範囲に記載の内容に基づいて、様々に変形、変更又はその他任意に改変され得る。
【産業上の利用可能性】
【００２６】
本発明は、事務用、家庭用、その他あらゆる産業分野で使用される見出し又は付箋に適用することができる。
【符号の説明】
【００２７】
１００,１０１,１０２，１００Ａ,１００Ｂ,１００Ｃ,１００Ｄ  ：  見出し（見出し用付箋，背見出し用ラベル，見出し用シール，見出し用紙片など）
１１  ：  中央見出し部
１２  ：  左側表紙部
１２ｒ：  粘着部（第１の粘着部）
１３  ：  右側表紙部
１３ａ：  メモ記載部
１３ｒ：  粘着部（第１の粘着部）
２０  ：  切り離しふせん部
２１，２２，２３，２４，２１Ｄ，２２Ｄ  ：  凸部（付箋）
２１ｒ，２２ｒ：  粘着部（第２の粘着部）
Ｌｂ  ：  折り曲げ線部
ＣＦ  ：  クリアファイル
【図１】
0003205379.tif 000003
【図２】
0003205379.tif 000004
【図３】
0003205379.tif 000005
【図４】
0003205379.tif 000006
【図５】
0003205379.tif 000007
【図６】
0003205379.tif 000008
【図７】
0003205379.tif 000009
【図８】
0003205379.tif 000010